(57)【要約】【課題】  撮影対象が集中したり、不定期にしか生じない場合においても、所望の画像が得られる画像検索システムを提供することを目的とする。【解決手段】  それぞれが識別番号を有するマラソン選手５０がゴールしたときの画像を取り出す画像検索システム１０は、ゴールに設けられ、マラソン選手５０を撮影するビデオカメラ６０と、ビデオカメラ６０で撮影した画像を撮影時刻と共に記憶する第１記憶手段と、マラソン選手５０がゴールしたとき、マラソン選手５０の到着時刻を検出する到着時刻検出手段と、到着時刻検出手段によって検出された到着時刻と共にマラソン選手５０の識別番号を記憶する第２記憶手段と、識別番号を基に、第２記憶手段から到着時刻を検出する到着時刻検出手段と、検出された到着時刻を基に、第１記憶手段を検索して到着時刻に対応するマラソン選手５０の画像を取り出す画像取り出し手段とを有する。【選択図】      図１
2005110102.tif 000002
【特許請求の範囲】
【請求項１】
それぞれが識別番号を有するイベント参加者が特定の位置に到着したときの画像を取り出す画像検索システムであって、
前記特定の位置に設けられ、前記イベント参加者の画像を撮影する撮影手段と、
前記撮影手段で撮影した画像を撮影時刻と共に記憶する第１記憶手段と、
前記特定の位置に参加者が到着したとき、前記参加者の到着時刻を検出する到着時刻検出手段と、
前記到着時刻検出手段によって検出された到着時刻と共に前記イベント参加者の識別番号を記憶する第２記憶手段と、
前記識別番号を特定する手段と、
前記特定された識別番号を基に、第２記憶手段から到着時刻を検出する到着時刻検出手段と、
前記到着時刻を基に、第１記憶手段を検索して前記到着時刻に対応する前記イベント参加者の画像を取り出す画像取り出し手段とを含む、画像検索システム。
【請求項２】
時刻の標準となる情報を受けて時刻情報を出力する時刻情報出力手段を含み、前記撮影時刻と前記到着時刻とは、前記時刻情報出力手段からの時刻情報に基づいて定められる、請求項１に記載の画像検索システム。
【請求項３】
前記画像取り出し手段が取り出した画像を表示する手段をさらに含む、請求項１または２に記載の画像検索システム。
【請求項４】
前記画像取り出し手段は複数の画像を取り出し、前記表示手段は前記複数の画像を表示し、
前記イベント参加者が、前記表示された複数の画像から所望の画像を選択する手段をさらに含む、請求項１から３のいずれかに記載の画像検索システム。
【請求項５】
前記イベントはマラソンである、請求項１から４のいずれかに記載の画像検索システム。
【発明の詳細な説明】
【技術分野】
【０００１】
この発明は、画像検索システムに関し、特に、各種イベントへの参加者の画像を検索することができる画像検索システムに関する。
【背景技術】
【０００２】
イベントへの参加者を撮影するシステムが、たとえば下記特許文献１に開示されている。
【０００３】
特許文献１によれば、テーマパークにおいて、たとえば筏乗りのシーンをモーションカメラによって撮影し、数駒連続した一片の画像列として得ている。キャプチャした一片の画像列は数駒から成り立っているため、どれかの駒に決定的瞬間がキャプチャされている可能性が大きく、また、行楽者のイベント参加者の経験したことが記録される。なお、この場合、撮影のタイミングは、例えばテーマパークの筏に搭載させたスイッチにより、或いは、操作者により自動的にトリガーされるようにされている。
【特許文献１】特開平１１−３２７００５号公報（図４、段落番号０００９、００１３等）
【発明の開示】
【発明が解決しようとする課題】
【０００４】
従来のイベント参加者のある特定の瞬間における画像を得る方法は上記のように構成されていた。画像が撮影されるタイミングは、筏等の乗り物がある特定の位置を通過したときに、自動的に画像が撮影されるため、筏等の定期的な動きをするイベントでは所望の画像が得られるが、撮影対象が集中したり、不定期にしか生じないイベントにおいては所望の画像を得ることはできない。
【０００５】
この発明は上記のような課題を解決するためになされたもので、撮影対象が集中したり、不定期にしか生じない場合においても、所望の画像が得られる画像検索システムを提供することを目的とする。
【課題を解決するための手段】
【０００６】
この発明に係る、それぞれが識別番号を有するイベント参加者が特定の位置に到着したときの画像を取り出す画像検索システムは、特定の位置に設けられ、イベント参加者の画像を撮影する撮影手段と、撮影手段で撮影した画像を撮影時刻と共に記憶する第１記憶手段と、特定の位置に参加者が到着したとき、参加者の到着時刻を検出する到着時刻検出手段と、到着時刻検出手段によって検出された到着時刻と共にイベント参加者の識別番号を記憶する第２記憶手段と、識別番号を特定する手段と、特定された識別番号を基に、第２記憶手段から到着時刻を検出する到着時刻検出手段と、到着時刻を基に、第１記憶手段を検索して到着時刻に対応するイベント参加者の画像を取り出す画像取り出し手段とを含む。
【０００７】
識別番号を特定すると、特定された識別番号を基に到着時刻を検出し、到着時刻を基に到着時刻に対応するイベント参加者の画像を取り出す。
【０００８】
その結果、イベント参加者である撮影対象が集中したり、不定期にしか生じない場合においても、所望の画像が得られる画像検索システムが提供できる。
【０００９】
好ましくは、時刻の標準となる情報を受けて時刻情報を出力する時刻情報出力手段を含み、撮影時刻と撮影時刻と到着時刻とは、時刻情報出力手段からの時刻情報に基づいて定められる。
【００１０】
撮影時刻と到着時刻とは、時刻の標準となる情報に基づいて定められるため、時刻のずれが生じることはない。なお、時刻の標準となる情報は標準電波であってもよいし、ＧＰＳからの信号であってもよい。
【００１１】
さらに好ましくは、画像取り出し手段が取り出した画像を表示する手段をさらに含む。
さらに好ましくは、画像取り出し手段は複数の画像を取り出し、表示手段は複数の画像を表示し、イベント参加者が、表示された複数の画像から所望の画像を選択する手段をさらに含む。
【００１２】
さらに好ましくは、イベントはマラソンである。
【発明を実施するための最良の形態】
【００１３】
以下、この発明の実施の形態を図面を参照して説明する。図１はこの発明の一実施の形態にかかる画像検索システムが、マラソンのゴール地点におけるマラソン参加者の撮影およびその画像の検索のために使用される場合の全体ブロック図である。図１を参照して、マラソン参加者の画像検索システム１０は、マラソンのゴール４１近傍において、マラソン選手（イベント参加者）５０を撮像するビデオカメラ６０と、マラソン選手５０のゴールを検出する、後に説明するアンテナ１０１を含むゴール検出部１００と、アンテナ１０１およびビデオカメラ６０に接続されたデータ管理装置２０とを含む。
【００１４】
図２はデータ管理装置２０の構成を示すブロック図である。図２を参照して、データ管理装置２０は、装置全体を制御するＣＰＵ２１と、ＣＰＵ２１に接続された入出力インターフェイス２２と、入出力インターフェイス２２に接続され、アンテナ１０１を用いてマラソン選手５０のゴール４１への到着を検出するゴール検出部１００と、ビデオカメラ６０に接続され、撮影されたマラソン選手５０の映像を受信するビデオ映像受信部２４と、ビデオ映像受信部２４で受信した映像を、後に説明する時刻と共に記録するビデオ映像記録部２５と、ゴール検出部１００で検出したマラソン選手５０のゴールタイムデータを、後に説明する時刻情報と共に記録するゴールタイムデータ記録部２６と、キーボード等の入力装置２７と、撮影された画像を表示するディスプレイ２８と、画像を印刷するためのプリンタ２９とを含む。
【００１５】
次にゴール検出部１００について説明する。図３は、ゴール検出部１００の構成を示すブロック図である。図３を参照して、複数のマラソン選手５０の各々はそれぞれ異なる番号のゼッケンを付けるとともに、ゼッケン番号に対応した固有の識別番号（ＩＤ信号）を出力するＩＤタグ４０を保持して走行して、ゴール４１にゴールしてくる。検出装置１００は、ゴール４１の近傍に設けられたメインコントローラ１１１を含む。
【００１６】
メインコントローラ１１１は、ＩＤタグ４０に対してトリガ発信を行なうとともに、ＩＤタグ４０からのＩＤ信号を受信する。メインコントローラ１１１には、トリガ信号を発信するとともに、ＩＤタグ４０からのＩＤ信号を受信する、上記したアンテナ１０１が接続されている。メインコントローラ１１１は全体を制御する制御部１３０に接続されている。
【００１７】
制御部１３０は、ＣＰＵ１３１と、トリガ信号受信部１３２と、トリガ信号受信部１３２の受信した受信データを記憶するメモリ１３６と、標準電波を受信してＣＰＵにシステムクロックを供給するシステムクロック供給部１２０と、システムクロック供給部１２０からの時計情報を受けて時刻を表示する時計表示部１３８とを含む。
【００１８】
制御部１３０は、検出したＩＤ信号のそれぞれを標準電波に基づく時刻とともにメモリ１３６に記憶する。また、制御部１３０は、検出した複数のＩＤ信号のそれぞれ検出時刻を表示する表示部を有しても良い。
【００１９】
図４はシステムクロック供給部１２０の構成を示す図である。図４を参照して、システムクロック供給部１２０は、標準電波を受信するアンテナ１２１と、アンテナ１２１に接続され、標準電波を増幅する増幅器１２２と、増幅器１２２に接続され、所定の周波数を取り出すバンドパスフィルタ（ＢＰＦ）１２３と、バンドパスフィルタ１２３に接続された振幅制限器１２４と、振幅制限器１２４に接続され、標準電波から時計情報を取り出す時計情報出力部１２５および標準電波からクロック周波数を取り出すクロック同期部１２６とを含む。図４に示すように、時計情報出力部１２５からの出力は時計表示部１３８に送られて時刻が表示され、クロック同期部１２６からのクロック同期信号はＣＰＵ１３１に供給される。時計情報出力部１２５からの時刻情報はゴール検出時の時刻情報および映像データ記録時の時刻データとして利用される。
【００２０】
なお、ここでは、この時計情報として、標準電波を利用した場合について説明したが、これに限らず、ＧＰＳからの情報等、時刻の標準となる、任意の情報を利用してもよい。
【００２１】
図５（Ａ）はＩＤタグ４０の構成を示すブロック図であり、図５（Ｂ）はＩＤタグ４０の外観を示す模式図である。図５（Ａ）を参照して、ＩＤタグ４０は受信用アンテナ４０ａとトリガ信号検知部４１と、電池４９と、スィッチ４２と固有番号としてのＩＤ番号を発生する、ＩＤ番号発生部４３とを含む。ＩＤ番号発生部４３はアドレス計数部４５とＩＤ番号記憶部４６と発振器４７と出力回路４８と、ＩＤ番号発生部４３全体を制御するＣＰＵ５０から構成される。
【００２２】
ＩＤタグ４０の発信周波数はトリガ信号受信部１３２で受信できる複数の周波数、たとえば３００−３２２ＭＨｚのいずれかの周波数でＩＤ番号を出力する。
【００２３】
なお、ＩＤタグ４０を充電式とすれば、電池４９の交換の必要がなく経済的に構成できる。
【００２４】
受信用アンテナ４０ａはメインコントローラ１１１に設けられたアンテナ１０１からのトリガ信号を受信するようになっており、トリガ信号検知部４１は、受信用アンテナ４０ａで受信された信号がトリガ信号であると認識したときにスイッチ４２をＯＮするようになっている。このように、スイッチ４２がＯＮされると、ＩＤ番号発生部４３に電源が供給されてこのＩＤ番号発生部４３からそのＩＤタグ４０に対応するＩＤ番号が送信用アンテナ４４を介して出力される。このように出力されたＩＤ番号は発振器４７によって高周波信号に変換されて出力回路４８を介して送信用アンテナ４４から送信される。
【００２５】
ここでＩＤタグ４０に設けられた発振器４７からはＩＤ番号に対応する５桁の識別番号が間断なく発信し続けられ、この信号をアンテナ１０１で受信する。
【００２６】
図５（Ｂ）を参照して、ＩＤタグ４０は、図中に示す２辺ａおよびｂが数１０ｍｍの矩形を有しており、その厚さｃは数ｍｍ程度である。マラソン選手５０が装着するＩＤタグ４０は非常に軽量で、競技中にも選手に違和感を与えない。
【００２７】
図６はゴールタイムデータ記録部２６のデータの記録内容の一例を示す図である。図６を参照して、ゴールタイムデータ記録部２６には、種目、ゼッケン番号、ＩＤタグ４０のＩＤ番号、ゴール時刻、所要タイムが記録されるようになっている。このうち、種目とゼッケン番号および、それに対応するＩＤ番号は予め記録されているものとする。
【００２８】
ゴール検出部１００は、ＩＤタグ４０によりゴール時刻を検出すると、ＩＤタグ４０のＩＤ番号と共にこのゴールタイムデータ記録部２６に送信し、そのＩＤ番号に基づいて、マラソン選手５０ごとにそのゴール時刻と所要タイムが記録される。ここで種目も含まれているのは、複数の種目、たとえば、男子フルマラソン、男子２０ｋｍ、女子フルマラソン、女子２０ｋｍ等が同時に開催され、同時にゴールしてくる場合が有るためである。
【００２９】
図７は映像データ記録部２５の記録内容を示す図である。図７に示すように、ビデオカメラ６０で撮像されたゴールしたマラソン選手５０の画像は、その時刻と共に複数の静止画像として記録されている。図７においては、拡大された個人と、その周囲を含めた画像とが示されているが、これは、２台のビデオカメラを設けて撮像してもよいし、１台の撮像装置で撮像し、その画像から中央部を取り出して準備しても良い。
【００３０】
図８は、各マラソン選手がゴールした後等で、マラソン選手５０が自分のゴール写真を要求した場合にそのゴール時の映像を管理装置２０のＣＰＵ２１が行う場合のフローチャートであり、図９はその場合のディスプレイ２８の表示内容を示す図である。
【００３１】
図８および図９を参照して、まず選手が自分のゴール写真を要求するときは、自分の参加した種目とゼッケン番号をデータ管理装置２０で申告する。これらの情報をディスプレイ２８の所定の入力位置にキーボード等の入力装置２７を介して入力する（図８ステップＳ１１および図９（Ａ）、以下ステップを省略する）。種目とゼッケン番号とＩＤ番号とは、図６に示すように対応付けされているため、これらの情報からＩＤタグ４０のＩＤ番号が特定できる。
【００３２】
今、参加した種目が男子フルマラソンで、ゼッケン番号が５５であったとする。ＣＰＵ２１は、図６を参照して、ゴールタイムデータ記録部２６からＩＤタグ４０のＩＤ番号１０５５を検索し（図８Ｓ１２）、そこからゴール時刻を特定する（図８Ｓ１３、この場合、１１：３０：００）。このデータを基に次に図７に示す映像データ記録部２５を検索する（図８Ｓ１４）。画像があれば（図８Ｓ１４でＹＥＳ）、画像Ａ１およびＡ２を特定し（図７）ディスプレイ２８に両者を表示する（図８Ｓ１５、図９（Ｂ））。この画像をマラソン選手５０に見せて、必要か否かを問い合せ（図８Ｓ１６）、必要であれば、図９（Ｂ）の「ＹＥＳ」ボタンをクリックし、プリンタ２９で出力する（図８Ｓ１７）。
【００３３】
なお、上記実施の形態においては、タグＩＤを特定するのに、種目と共にゼッケン番号を利用したが、これに限らず、種目とマラソン選手５０の名前からタグのＩＤ番号を特定しても良い。
【００３４】
なお、上記実施の形態においては、マラソンのゴール地点におけるマラソン選手の画像を検索して出力する例について説明したが、これに限らず、任意のイベントにおける所定の位置における画像の提供に利用できる。たとえば、ゴルフのコンペにおける、各ホールのティーショットのプレーヤの画像等に利用できる。
【００３５】
上記実施の形態においては、ビデオカメラを用いて画像の撮影を行ったが、これに限らず、デジタルカメラ等で撮影しても良い。
【００３６】
上記実施の形態においては、データ管理装置でマラソン参加者のゴール時間の検出やビデオ画像の記録等を一台のデータ管理装置で行った場合の例について説明したが、これに限らず、複数の装置を利用して同様の機能を実行させても良い。
【００３７】
上記実施の形態においては、プリンタで画像を出力したがこれに限らず、ＦＤ、ＣＤＲ、ＤＶＤ等の任意の媒体に静止画像を出力しても良い。なお、動画像を出力しても良い。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３９】
この発明に係る画像検索システムは、マラソン参加者のゴール時点の撮影およびその画像の検索のために使用され、イベント参加者であるマラソン選手が集中したり、不定期にしかゴールしない場合においても、所望の画像が得られる画像検索システムとして利用される。
【図面の簡単な説明】
【００４０】
【図１】この発明にかかる画像検索装置をマラソンのゴール地点の画像撮影に利用した場合の全体構成を示す模式図である。
【図２】データ管理装置の全体構成を示すブロック図である。
【図３】ゴール検出部の構成を示すブロック図である。
【図４】システムクロック供給部の構成を示すブロック図である。
【図５】ＩＤタグの構成を示すブロック図である。
【図６】ゴールタイムデータ記録部のデータ構造を示す図である。
【図７】映像データ記録部のデータ構造を示す図である。
【図８】データ管理装置の動作を示すフローチャートである。
【図９】ディスプレイへの入力及び出力例を示す図である。
【符号の説明】
【００４１】
１０  画像検索システム、２０  データ管理装置、２１  ＣＰＵ、２２  入出力インターフェイス、２４  ビデオ映像受信部、２５  映像データ記録部、２６  ゴールタイムデータ記録部、２７  入力装置、２８  ディスプレイ、２９  プリンタ、４０  ＩＤタグ、５０  マラソン選手、６０  ビデオカメラ、１００  ゴール検出部、１０１  アンテナ
【図１】
2005110102.tif 000003
【図２】
2005110102.tif 000004
【図３】
2005110102.tif 000005
【図４】
2005110102.tif 000006
【図５】
2005110102.tif 000007
【図６】
2005110102.tif 000008
【図７】
2005110102.tif 000009
【図８】
2005110102.tif 000010
【図９】
2005110102.tif 000011